(57)【要約】【課題】無線ＩＣチップを利用して個人の詳細位置をリアルタイムで把握する際に使用する電磁波の強度を低減させる方法を提供する。【解決手段】アンテナコイルを備え磁場変動により充電が可能な蓄電池と個人の識別番号を記録・発信可能な無線ＩＣチップを内蔵した構内靴を個人へ貸与する。個人の識別番号の発信は構内靴に内蔵した無線ＩＣチップから蓄電池からの電源供給により行い、個人の識別番号の受信は床面に設置した信号読取り装置により検知する。【選択図】図１
2007225529.tif 000002
【特許請求の範囲】
【請求項１】
予め定められた領域内で人が履く靴に前記人の識別番号を記録及び発信可能な無線ＩＣチップを内蔵し、無線ＩＣチップが発信する前記識別番号を、前記構内の床面に設置した信号読取り装置により検知することで前記人を識別することを特徴とする人員管理方法。
【請求項２】
前記無線ＩＣチップは、前記靴に設けられた蓄電池から電力を得ることを特徴とする請求項１記載の人員管理方法。
【請求項３】
前記蓄電池は、前記靴に設けられたコイルアンテナを磁場が変動する環境におくことにより発生した電力で充電することを特徴とする請求項２記載の人員管理方法。
【請求項４】
原子力発電プラントの構内で、人が履く靴にコイルアンテと磁場変動により充電が可能な蓄電池と前記人の識別番号を記録及び発信可能な無線ＩＣチップとを内蔵し、前記蓄電池から電力を得た無線ＩＣチップが発信する前記識別番号を、前記構内の床面に設置した信号読取り装置により検知することで前記人を識別することを特徴とする人員管理方法。
【請求項５】
前記構内を予め個々の区域に分割し、前記区域の出口及び／又は入口に予め識別番号を定義した前記信号読取り装置を設置することを特徴とする請求項４記載の人員管理方法。
【請求項６】
前記信号読取り装置を、前記人が通過する際に検知される識別番号と前記人の通過時間とを個々の信号読取り装置毎にまとめて記録することを特徴とする請求項５記載の人員管理システム。
【請求項７】
請求項６における人員管理システムを用い、前記人が通過した信号読取り装置の識別番号と通過時間から、前記区域間の移動を判定することで、前記人の滞在区域および滞在時間を計測することを特徴とする個人滞在位置の計測方法。
【請求項８】
磁気カード又はＩＣカードに記録された前記人の識別番号を用いて前記人の認証を行っている環境下で、磁気カード又はＩＣカードに記録された人の識別番号を読取り、靴に内蔵された無線ＩＣチップに前記識別番号を記録することを特徴とする人員管理システム。
【請求項９】
電池と情報を記録及び発信可能な無線ＩＣチップとを内蔵し、前記無線ＩＣチップは、前記電池から電力を得ることを特徴とする靴。
【請求項１０】
前記電池は蓄電池であることを特徴とする請求項９記載の靴。
【請求項１１】
コイルアンテと磁場変動により前記コイルアンテナで発生した電力を充電可能な蓄電池と情報を記録及び発信可能な無線ＩＣチップとを内蔵し、前記無線ＩＣチップは、前記蓄電池から電力を得ることを特徴とする請求項１０記載の靴。
【請求項１２】
前記コイルアンテナと前記蓄電池と前記無線ＩＣチップとは、前記靴の中足部分より踵側に内蔵されていることを特徴とする請求項１０記載の靴。
【請求項１３】
前記コイルアンテナの一部は、前記靴の靴底の外周に沿って設置され、前記蓄電池と前記無線ＩＣチップとは、前記コイルアンテナの内側に設けられていることを特徴とする請求項１１記載の靴。
【発明の詳細な説明】
【技術分野】
【０００１】
本発明は、観測エリア内における人員管理方法及びそれに用いる靴に関する。
【背景技術】
【０００２】
予め特定された観測エリア内の個人位置を検知する例として、観測エリア内に配置した複数の受信機を用いて発信機を携帯した歩行者の位置を推定する例が特許文献１公報に開示されている。この公報では、歩行者が携帯した発信機から発信される発信機情報と受信機情報から歩行者の位置を推定している。この他に、医療機関において従業員の個人認証をする例として、タグに記録された個人識別情報をリーダライタで読取って、認証用データベースの従業員登録データと照合する例が特許文献２に開示されている。この公報では、治療室等の床下内に所定の間隔でタグからの信号を検出する多数のセンサを配置することや個人識別情報を発信するタグをスリッパの爪先内部や靴の中敷内部に組み込むことが開示されている。また、病院内において入院患者等の位置を検出する例として、同様の手法が特許文献３に開示されており、履物に内蔵されたタグは、床に配置されたセンサから無線で給電され、個人識別情報を発信する方法が採用されている。
【０００３】
【特許文献１】特開２００５−２００８１号公報
【特許文献２】特開２００５−１７４０３２号公報
【特許文献３】特開２００５−２７８７９１号公報
【発明の開示】
【発明が解決しようとする課題】
【０００４】
本発明は上記課題を鑑みなされたものであり、その目的は、予め定められた領域内で人の位置を把握する方法を提供することにある。
【課題を解決するための手段】
【０００５】
予め定められた領域内で人が履く靴に前記人の識別番号を記録及び発信可能な無線ＩＣチップを内蔵し、無線ＩＣチップが発信する前記識別番号を、前記構内の床面に設置した信号読取り装置により検知することで前記人を識別することを特徴とする人員管理方法である。
【発明の効果】
【０００６】
本発明によれば、予め定められた領域内で人の位置を適切に把握することができる。
【発明を実施するための最良の形態】
【０００７】
本実施形態では、原子力発電プラント内において個人の位置を把握する方法を提供する。原子力発電プラント内における人員管理については、発電プラント構内への入域者が管理されている。火災や高温蒸気漏洩などの発生を想定した場合、発電プラント構内入域者の滞在場所をリアルタイムで把握することは、要救助者および救助対応者を迅速に特定する上で有効である。
【０００８】
原子力発電プラント内など特定のエリア内における個人位置を監視する方法としては、個人を識別する情報をタグ等から発信し、発信された情報を受信した受信機の位置から、個人の位置を特定する方法は有効である。
【０００９】
しかしながら、原子力発電プラント内では制御機器や計測機器への影響に配慮し、構内における電波の使用制限が設けられている。このため、タグを起動するのに強い電磁波が必要なため、使用できる領域が限定される。よって、構内における使用可能領域を広げるためには、運用時に発信される電磁波をより弱いものにする必要がある。
【００１０】
本実施形態では、個人の詳細位置をリアルタイムで把握するため、コイルアンテナと磁場変動により充電が可能な蓄電池と個人の識別番号を記録及び発信可能な無線ＩＣチップとを内蔵した構内靴を原子力発電プラント入構の際に個人へ貸与する。無線ＩＣチップの記録機能と発信機能とは分離された２つ以上のデバイスによって実現されても良い。貸与される構内靴は磁場変動が繰り返される下駄箱等で保管され、個人へ貸与されるまでに蓄電池が充電される。個人の識別番号の発信は構内靴に内蔵した無線ＩＣチップから行い、個人の識別番号の受信は床面に設置した信号読取り装置により検知する。個人位置の特定は、原子力発電プラント構内を予め個々の区域に分割し、前記区域の出入り口に前記信号読取り装置を設置することで、個人が通過した信号読取り装置の識別番号と通過時間から、区域間の移動を判定する。なお、個人の識別番号は構内靴が個人へ貸与された後で無線ＩＣチップに記録する。
【００１１】
本実施形態によれば、個人の詳細位置をリアルタイムで把握し、人員を管理することができる。また、使用する電磁波の強度を従来の方法に比べて低減することが可能である。具体的には、無線ＩＣチップから個人の識別番号を発信する際に必要な電力を蓄電池から供給するため、前述した特許文献の方法などで必要であったタグ等を起動するための強い電磁波が不要となる。また、発信機を上半身に携帯して天井や壁面に設置した受信機により受信する場合に比べて、発信機と受信機の距離が短くなるため、無線ＩＣチップから発信する電磁波の強度を低減することができる。
【実施例１】
【００１２】
以下、本発明に係る原子力発電プラントにおける人員管理方法における実施例を図面を参照して説明する。原子力発電プラントへの入構時に貸与される構内靴１の構造について図１を用いて説明する。構内靴１は個人の識別に用いられる。構内靴１の靴底には無線
ＩＣチップ２，蓄電池３，コイルアンテナ４が内蔵されており、無線ＩＣチップ２は蓄電池３から電力供給を受けることで、記録された情報を発信することができる。なお、無線ＩＣチップ２の具体例としては無線により情報の読取りおよび書込みが可能なＲＦＩＤ
（Radio Frequency IDentification）タグの採用が望ましく、書込み情報の発信時にはコイルアンテナ４をアンテナとして利用する。コイルアンテナ４はコイル内の磁場が変動することで起電力を生じ、蓄電池３に蓄電することができる。蓄電池３への蓄電は個人へ貸与されるまでの保管時に行われ、下駄箱等に保管した状態で磁場変動を与えることが望ましい。なお、蓄電池３の代わりに充電の必要のない乾電池を採用することも可能であり、この場合圧電素子を利用したスイッチを併用して使用時のみ発信させることで、電池寿命の延長を図ることができる。
【００１３】
また、本実施例において、無線ＩＣチップ２と蓄電池３とは、靴の踵部分に内蔵されている。人が歩行する際には、足裏の中足を支点として折れ曲がる。従って、靴底の歪を考えた場合、靴の踵部分は歪が少なく、無線ＩＣチップや蓄電池３が壊れにくい。図１においては歩行時に靴底のゆがみが少ない土踏まずから踵までの部分を囲うようにコイルアンテナ４を設置している。
【００１４】
構内靴１に内蔵された無線ＩＣチップ２から発信された個人の識別番号を、床面に設置した信号読取り装置により検知して個人を識別する方法について、図２を用いて説明する。原子力発電プラント内において個人７は、靴底に無線ＩＣチップ２，蓄電池３，コイルアンテナ４を内蔵した構内靴１を履き歩行している。このとき、無線ＩＣチップ２は蓄電池３から電力の供給を受け、常に記録された個人の識別番号を発信している。床に設置された信号読取り装置５上を個人７が通過すると、無線ＩＣチップ２から発信された個人の識別番号が信号読取り装置５に受信される。受信された個人の識別番号は信号読取り装置５の識別情報とともに無線ＬＡＮ６等の通信手段により演算装置８に送信される。演算装置８では、個人の識別番号と信号読取り装置５の識別情報を受信した時刻とともにデータベースに記録する。図３に演算装置８で演算処理されるデータベースの例を示す。データベースは、個人情報データベース９，個人移動履歴データベース１０，読取り装置配置情報データベース１１で構成される。個人情報データベース９では個人の識別番号と氏名や会社名などが関係付けられる。個人移動履歴データベース１０では、個人の識別番号毎に信号読取り装置５の識別情報，受信した時刻，作業番号などが記録される。読取り装置配置情報データベース１１では、信号読取り装置５の配置情報として配置建屋，配置階，配置場所、当該階の配置図番号などが記録される。これらデータベースに記録された情報を演算装置８で演算処理し、個人７の滞在位置を判定する例について、図４を用いて説明する。信号読取り装置配置図１２上に区域（Ａ区域〜Ｄ区域）を予め定義する。各区域の出入口には信号読取り装置５が設置されている。信号読取り装置５は読取り装置配置情報データベース１１にその配置情報が記録されている。Ａ区域に滞在している個人７がＤ区域に移動した場合について説明する。Ａ区域に滞在している個人７がＤ区域に移動した場合、出入口床に設置されている信号読取り装置５上を通過する。この際、信号読取り装置５は構内靴１に内蔵された無線ＩＣチップ２から発信された個人の識別番号を受信する。個人の識別番号を受信した信号読取り装置５は、演算装置８に個人の識別番号と読取り装置識別番号（図の場合Ｄ−２）を送信する。演算装置８では受信した個人の識別番号と読取り装置識別番号に加え受信時間を個人移動履歴データベース１０に記録する。これにより、個人の識別番号をキーに個人情報データベース９から個人７を特定するとともに、個人移動履歴データベース１０と読取り装置配置情報データベース１１からＡ区域に滞在していた個人７がＤ−２の信号読取り装置５を通過し、その先にあるＤ区域に移動したことを判定可能となる。
【実施例２】
【００１５】
ＩＤカードに記録された個人の識別番号を読取り、貸与した構内靴に内蔵された無線
ＩＣチップに個人の識別番号を記録することを特徴とする原子力発電プラントにおける人員管理システムの実施例について、図５を用いて説明する。矢印は情報の流れを示す。
【００１６】
本実施例では、原子力発電プラント等では構内に入構する際、磁気カードや無線ＩＣチップが内蔵されたＩＤカード１３により個人認証する。ＩＤカード１３には個人識別番号１４が記録されているため、情報読取り装置１５により個人識別番号１４を読取り、情報書込み装置１７により構内靴１に内蔵された無線ＩＣチップ２に個人識別番号１４を記録することで、簡易な運用が可能となる。また、個人識別番号１４に加え作業番号１６を読取り、記録することでより高度な管理が可能となる。
【産業上の利用可能性】
【００１７】
原子力発電所内における個人位置の詳細管理に利用できる。
【図面の簡単な説明】
【００１８】
【図１】原子力発電プラントへの入構時に貸与され、個人の識別に用いられる、蓄電池と無線ＩＣチップを内蔵した構内靴の構造を説明する図。
【図２】構内靴に内蔵された無線ＩＣチップから発信された個人の識別番号を、床面に設置した信号読取り装置により検知する方法を説明する図。
【図３】演算装置で演算処理されるデータベースの例を説明する図。
【図４】個人の滞在位置を判定する例を説明する図。
【図５】ＩＤカードに記録された個人の識別番号を読取り、貸与した構内靴に内蔵された無線ＩＣチップに個人の識別番号を記録する例を説明する図。
【符号の説明】
【００１９】
１…構内靴、２…無線ＩＣチップ、３…蓄電池、４…コイルアンテナ、５…信号読取り装置、６…無線ＬＡＮ、７…個人、８…演算装置、９…個人情報データベース、１０…個人移動履歴データベース、１１…読取り装置配置情報データベース、１２…信号読取り装置配置図、１３…ＩＤカード、１４…個人識別番号、１５…情報読取り装置、１６…作業番号、１７…情報書込み装置。
【図１】
2007225529.tif 000003
【図２】
2007225529.tif 000004
【図３】
2007225529.tif 000005
【図４】
2007225529.tif 000006
【図５】
2007225529.tif 000007